(57)【特許請求の範囲】
【請求項１】
少なくともドレンパンが内蔵され、下面に吸込口及び吹出口を有する本体の下面の開口部全面を閉塞する、可撓性を有し空気を通さない材料で形成された保護カバーを備えた天井埋込型空気調和機の据付装置において、
前記保護カバーには、ドレンパン近傍に、指掛けを備えた点検口を形成するための切れ込みが設けられていることを特徴とする天井埋込型空気調和機の据付装置。
【請求項２】
前記本体の吹出口に上下フラップが設けられており、
前記保護カバーは、前記上下フラップに対応する部分が、当該上下フラップの周囲を覆う箱状部に形成されていることを特徴とする請求項１記載の天井埋込型空気調和機の据付装置。
【請求項３】
前記本体が天井裏に据え付けられて化粧パネルが前記本体のねじ受け部にねじで止着されるまでの間、前記本体の下面側に装着される据付用型紙をさらに備え、
前記据付用型紙は、前記本体の天井開口寸法に形成され、前記本体の前記ねじ受け部に、径方向へ弾性を持たせた樹脂製クリップにより装着されていることを特徴とする請求項１又は請求項２記載の天井埋込型空気調和機の据付装置。
【請求項４】
前記樹脂製クリップは、先端部が空洞部を有して膨らみ、径方向へ弾性的に拡縮可能に構成されているとともに、軸方向の中間部に挿入長さを規定するための鍔部が形成され、鍔部とクリップ頭との間の軸部がつまみ部として構成されており、前記本体の前記ねじ受け部にワンタッチで挿抜できるようになっていることを特徴とする請求項３記載の天井埋込型空気調和機の据付装置。
【発明の詳細な説明】
【技術分野】
【０００１】
本発明は、天井埋込型空気調和機の据付装置に関するものである。
【背景技術】
【０００２】
従来の天井埋込型空気調和機の据付装置は、施工作業現場で飛散する粉塵等が天井埋込型空気調和機の本体内へ侵入するのを防止するために、端部全周に渡ってゴム紐を挿入させた袋状のカバーが本体の下面を覆うように伸縮装着されている。更に天井材を施工する際に形成される開口の位置決めをするために、本体の下面に装着される据付用型紙が、化粧パネル装着用のねじ受部に化粧パネル装着用のねじを用いてカバーの上から装着されている（例えば、特許文献１参照）。
【先行技術文献】
【特許文献】
【０００３】
【特許文献１】特開２００８−１７５４６０号公報（要約、図７）
【発明の概要】
【発明が解決しようとする課題】
【０００４】
しかしながら、端部全周に渡ってゴム紐を挿入させた袋状のカバーを本体の下面を覆うように伸縮装着させたものにあっては、本体の側面の凹凸（電装品設置部や配管部）に沿ってカバーを密着することができず、その隙間から施工作業現場で飛散する粉塵等が本体内へ侵入してしまうといった問題があった。
【０００５】
また、本体の据付後にドレンパンからの排水チェックを行うため、袋状のカバーの一部もしくは全部を一旦外して排水チェック後に再度元の状態に戻さなければならないといった手間が発生していた。
【０００６】
さらに、据付用型紙の装着に化粧パネル装着用のねじを使用していたので、非常に作業性が悪いといった難点があった。
【０００７】
本発明は、前記のような課題を解決するためになされたもので、施工作業現場で飛散する粉塵等の本体内への侵入を略遮断し、かつ施工作業中の上下フラップへの汚れ及び傷つきを防止することができるとともに、据付後の排水チェックも保護カバーを外すことなく容易に行うことができるようにすることを目的としている。
【課題を解決するための手段】
【０００８】
本発明に係る天井埋込型空気調和機の据付装置は、少なくともドレンパンが内蔵され、下面に吸込口及び吹出口を有する本体の下面の開口部全面を閉塞する、可撓性を有し空気を通さない材料で形成された保護カバーを備えた天井埋込型空気調和機の据付装置において、保護カバーには、ドレンパン近傍に、指掛けを備えた点検口を形成するための切れ込みが設けられているものである。
【発明の効果】
【０００９】
本発明に係る天井埋込型空気調和機の据付装置においては、保護カバーには、ドレンパン近傍に、指掛けを備えた点検口を形成するための切れ込みが設けられているので、施工作業現場で飛散する粉塵等の空気調和機本体内への侵入を略遮断でき、施工作業中の上下フラップへの汚れや傷つきを防止することができるとともに、据付後の排水チェックも、保護カバーを外すことなく、指掛けを使って切れ込み残部を下方へ曲げることで点検口を開き、点検口より水差し等を挿入してドレンパンの中に注水しながら排水チェックを容易に行うことができる。このため、据付作業の効率が向上するとともに品質的に安定した据付作業ができる。
【図面の簡単な説明】
【００１０】
【図１】本発明の実施形態１に係る天井埋込型空気調和機の据付装置の分解斜視図である。
【図２】本発明の実施形態１に係る天井埋込型空気調和機の据付装置の側面視の断面図である。
【図３】本発明の実施形態１に係る天井埋込型空気調和機の据付装置の蓋付き点検口を利用した排水チェック作業を示す全体斜視図である。
【図４】本発明の実施形態１に係る天井埋込型空気調和機の据付装置の蓋付き点検口を利用した排水チェック作業を示す側面視の断面図である。
【図５】本発明の実施形態２に係る天井埋込型空気調和機の据付装置の分解斜視図である。
【図６】本発明の実施形態２に係る天井埋込型空気調和機の要部拡大断面図である。
【発明を実施するための形態】
【００１１】
実施形態１．
図１は本発明の実施形態１に係る天井埋込型空気調和機の据付装置の分解斜視図である。図２は本発明の実施形態１に係る天井埋込型空気調和機の据付装置の側面視の断面図である。
まず、本発明の実施形態１に係る天井埋込型空気調和機の据付装置が適用される天井埋込型空気調和機について図１及び図２を参照しながら説明する。天井埋込型空気調和機は、図１及び図２のように本体１の天井開口２を臨む下面に、吸込口３及び吹出口４が形成されるとともに、吸込口３と吹出口４とを連通する空気流路内に、熱交換器５、送風機６、及びドレンパン７等を有している。また、天井梁に一端が埋設された吊りボルト８の他端（下端）を通すための長穴９と吊りボルト８着脱用の切り欠き１０を設けた吊り金具１１が、本体１外郭の相対する両側面に連結保持されている。そして、吊り金具１１は、吊りボルト８に挿入されたナット１２と座金１３で固定されるようになっている。
【００１２】
次に、本発明の実施形態１に係る天井埋込型空気調和機の据付装置について説明する。図１及び図２のように本体１は、厚紙等で構成される通気性を有さない保護カバー１４により、下面の開口部全面が吊り金具１１が隠れない範囲で一体に閉塞されるようになっている。保護カバー１４には、切れ込みによって形成されて切り起こし可能な矩形片で構成される蓋１６と、さらに蓋１６に切れ込みによって形成されて切り起こし可能な矩形片で構成される指掛け１５とが、ドレンパン７の近傍に設けられており、蓋１５を切り起こした際に形成される開口部が点検口１９として構成されるようになっている。つまり、保護カバー１４には、ドレンパン７の近傍に、開閉用の指掛け１５を備えた蓋１６付きの点検口１９を形成するための切れ込みが設けられている。また、保護カバー１４には、本体１の吹出口４にある上下フラップ１７に対応する部位が、上下フラップ１７の周囲を覆う箱状部１８として構成されている。
【００１３】
保護カバー１４は、本体１を天井裏に据付た後に取り外されるもので、その後、化粧パネル２４が取り付けられる。つまり、保護カバー１４は、化粧パネル２４が空気調和機の本体１に装着されるまでの間、取り付けられるもので、図２のように箱状部１８側の端縁部１４ａとその反対側の端縁部１４ｂとが本体１内に差し込まれることで固定されているものである。
【００１４】
以上のように構成された本発明の実施形態１に係る天井埋込型空気調和機の据付装置は、本体１の吹出口４にある上下フラップ１７の周囲を覆う箱状部１８を有する保護カバー１４が本体１の下面の開口部全面を一体で閉塞した状態で製品出荷される。
【００１５】
図３は本発明の実施形態１に係る天井埋込型空気調和機の据付装置の蓋付き点検口を利用した排水チェック作業を示す全体斜視図である。図４は本発明の実施形態１に係る天井埋込型空気調和機の据付装置の蓋付き点検口を利用した排水チェック作業を示す側面視の断面図である。
本発明の実施形態１に係る天井埋込型空気調和機の据付装置においては、図３及び図４のように据付時に、保護カバー１４を付けた状態のまま本体１が天井梁に埋設された吊りボルト８に固定され、続いて配線及び配管作業が行われて本体１の一連の据付作業が終了する。その後、保護カバー１４に形成された開閉用の指掛け１５を使って蓋１６を下方へ曲げることで点検口１９を開き、点検口１９より水差し２０等を挿入してドレンパン７の中に注水しながら排水チェックを行う。そして、排水チェック終了後は逆の要領で開閉用の指掛け１５を使って蓋１６を元の状態へ戻し、点検口１９を閉じ、保護カバー１４を開口部１９の無い状態に戻す。
【００１６】
このように、厚紙等による通気性を有さない保護カバー１４が空気調和機の本体１の下面の開口部全面を吊り金具１１が隠れない範囲で一体に閉塞された状態で製品出荷され、据付時には保護カバー１４を付けた状態のまま一連の据付作業が行えるため、施工作業現場で飛散する粉塵等の空気調和機本体内への侵入を略遮断できる。
【００１７】
また、上下フラップ１７の周囲も保護カバー１４の箱状部１８により覆うことができるため、施工作業中の上下フラップへの汚れや傷つきを防止することができる。
【００１８】
さらに、保護カバー１４には、ドレンパン７の近傍に、開閉用の指掛け１５を備えた蓋１６付きの点検口１９を形成するための切れ込みが設けられ、点検口１９を簡単に形成でき、かつ元の状態に戻すことができるため、据付後の排水チェックも保護カバーを外すことなく容易に行うことができ、据付作業の効率が向上するとともに品質的に安定した据付作業ができる。
【００１９】
実施形態２．
図５は本発明の実施形態２に係る天井埋込型空気調和機の据付装置の分解斜視図である。図６は本発明の実施形態２に係る天井埋込型空気調和機の要部拡大断面図である。
前述の実施形態１では、厚紙等による通気性を有さない保護カバー１４で、空気調和機の本体１の下面の開口部全面を吊り金具１１が隠れない範囲で一体に閉塞させ、更にこの保護カバー１４は、本体１の吹出口４にある上下フラップ１７の部分が周囲を覆う箱状部１８に構成されているとともに、ドレンパン７の近傍に開閉用の指掛け１５を備えた蓋１６付きの点検口１９が開閉自在に形成されているものを示した。本発明の実施形態２に係る天井埋込型空気調和機の据付装置は、さらに空気調和機の本体１の天井開口寸法に形成された据付用型紙２１を、樹脂製クリップ２３を用いて保護カバー１４の上から本体１の化粧パネル２４の装着用のねじ受け部２５に圧入装着させたものである。
【００２０】
これを更に詳述すると、樹脂製クリップ２３は、先端部２３ａが空洞部を有して膨らみ径方向へ弾性的に拡縮可能に構成されているとともに、軸方向の中間部に挿入長さを規定するための鍔部２３ｂが形成され、鍔部２３ｂとクリップ頭２３ｃとの間の軸部がつまみ部２３ｄとして構成されており、本体１のねじ受け部２５にワンタッチで挿抜できるようになっている。
【００２１】
据付用型紙２１は、天井材を施工する際に形成される天井開口２の位置決めをするために、本体の下面に装着されるものであり、装着穴２２を介して樹脂製クリップ２３で、本体１の化粧パネル２４の装着用のねじ受け部２５へ保護カバー１４の上から装着されるようになっている。
【００２２】
以上のように、本発明の実施形態２に係る天井埋込型空気調和機の据付装置においては、先端部２３ａが径方向へ弾性的に拡縮可能に構成された樹脂製クリップ２３を用いて、本体１の天井開口２の寸法に形成された据付用型紙２１をワンタッチで着脱することができるので、更に据付作業の効率が向上するとともに品質的に安定した据付作業ができる。
【符号の説明】
【００２３】
１  本体、２  天井開口、３  吸込口、４  吹出口、５  熱交換器、６  送風機、７  ドレンパン、８  吊りボルト、９  長穴、１０  切り欠き、１１  吊り金具、１２  ナット、１３  座金、１４  保護カバー、１４ａ  箱状部側の端縁部、１４ｂ  反対側の端縁部、１５  指掛け、１６  蓋、１７  上下フラップ、１８  箱状部、１９  点検口、２０  水差し、２１  据付用型紙、２２  装着穴、２３  樹脂製クリップ、２３ａ  先端部、２３ｂ  鍔部、２３ｃ  クリップ頭、２３ｄ  つまみ部、２４  化粧パネル、２５  ねじ受け部。
【図１】
0005506768.tif 000002
【図２】
0005506768.tif 000003
【図３】
0005506768.tif 000004
【図４】
0005506768.tif 000005
【図５】
0005506768.tif 000006
【図６】
0005506768.tif 000007